(57)【要約】  印刷配線板の穴へ圧入するための接触子素子が紹介され、接触子素子が、導入範囲を有するピン状圧入区域と、それに続く変形可能な範囲とを持ち、変形可能な範囲が、穴の直径より大きい幅を持ち、導入範囲が、穴の直径より小さい幅を持っている。変形可能な範囲は前の範囲と後の範囲とを持ち、両方の範囲が、横橋絡部により分離される閉じた開口を持っている。横橋絡部は少なくとも部分範囲において導入方向に対し５〜８５°の角をなして延び、従って脚の圧縮の際曲げ弾性荷重を受け、脚の穴の壁へ押付けるため、均一に増大する押圧力を生じる。
2007531241.tif 000002
【特許請求の範囲】
【請求項１】
印刷配線板の穴へ圧入するための接触子素子であって、
接触子素子が、導入範囲を有するピン状圧入区域と、それに続く変形可能な範囲とを持ち、
変形可能な範囲が、穴の直径より大きい幅（Ｄ１）を持ち、
導入範囲が、穴の直径より小さい幅（Ｄ２）を持ち、
変形可能な範囲が、少なくとも２つの脚（４，４ａ）と、導入方向（Ｆ）において前の範囲（１）と後の範囲（２）とを持ち、
両方の範囲が、横橋絡部（３）により分離される閉じた開口を持っているものにおいて、
横橋絡部（３）が導入方向（Ｆ）に波状に曲げられており、少なくとも部分範囲において導入方向（Ｆ）に対し５〜８５°の角（α）をなして延びている
ことを特徴とする、接触子素子。
【請求項２】
横橋絡部が、脚に対してほぼ直角な移行範囲と、移行範囲の間で斜めに延びて導入方向に対して鋭角をなす中間範囲とを持っていることを特徴とする、請求項１に記載の接触子素子。
【請求項３】
横橋絡部（３）が、少なくとも中間範囲に、導入方向（Ｆ）に波形のＶ字形状を持っていることを特徴とする、先行する請求項の１つに記載の接触子素子。
【請求項４】
中間範囲が導入方向（Ｆ）に対して鋭角をなして延び、かつ縁範囲で脚（４，４ａ）に対して直角な移行部へ連続的に通じているように、横橋絡部（３）がほぼＳ字状に導入方向（Ｆ）に波形に形成されていることを特徴とする、請求項１又は２に記載の接触子素子。
【請求項５】
変形可能な範囲にある脚が、開口の縁に接する外側でほぼ平行に形成されていることを特徴とする、先行する請求項の１つに記載の接触子素子。
【請求項６】
接触子素子が面（Ｅ）を持ち、この面内に、接触子素子の横橋絡部（３）も導入方向（Ｆ）も位置し、接触子素子がこの面（Ｅ）に関して対称に形成されていることを特徴とする、先行する請求項の１つに記載の接触子素子。
【請求項７】
先行する請求項の１つに記載の少なくとも１つの接触子素子を持つ電気部品。
【発明の詳細な説明】
【技術分野】
【０００１】  本発明は、請求項１の上位概念に記載の印刷配線板の穴へ圧入するための接触子素子に関する。
【背景技術】
【０００２】  圧入技術は、電気接触子を印刷配線板とろうなしに接続するための方法である。圧入接触子は、変形化可能な（可撓）又は中実の圧入区域を持っている。圧入区域は、印刷配線板にあって銅で被覆される適当な穴に対して、過剰寸法を持っている。ピンが機械的力によりスリーブへ圧入されることによって、圧入ピンと印刷配線板との電気的接触が行われ、即ちろう又は他の補助手段は使用されない。安定で確実な接続を維持するために必要な法線力は、圧入区域（可撓ピン）又は印刷配線板（中実ピン）の弾性変形によって生じる。更に圧入範囲における高い機械的圧力によって、常温溶接が行われる。【０００３】  可撓圧入技術では、圧入区域が弾性変形可能な範囲を持っている。圧入状態における圧入区域の変形によって、法線力が包囲する銅スリーブへ及ぼされて、スリーブ内のピンの保持力を決定する。弾性圧入区域の最も簡単な刻印部はいわゆるニードル−アイ区域即ちニードル穴の形状である。ニードル−アイ区域では、圧入脚は外側に連続する凹な湾曲部を持っている。この形状により、圧入された状態で、圧入区域の長さにわたって見て、非常に不均一な力分布が生じる。圧入区域の中間の狭く限られた範囲に大きい力が生じ、一方その上及び下に大きい力は殆ど現れず、圧入脚が広範囲にわたってスリーブに接しない。【０００４】  変形可能な範囲にある脚の外側が平行に形成されていると、変形可能な範囲の縁に荷重ピークが生じ、中間には僅かな荷重が生じて、中間にある脚を内方へ撓ませる。【０００５】  ドイツ連邦共和国特許出願公開第１９７２６７５号明細書から、修正されたニードル−アイ区域が公知である。この区域は、圧入状態で均一な力分布を生じるようにする修正された内側輪郭を持っている。【０００６】  欧州特許第０１４８７９２号又は第０３６７８６６号明細書又は米国特許第５，５６４，９５４号明細書から、可撓圧入区域を持つ接触子素子がわかり、これらの区域の脚には、互いに内方へ向くストッパが形成されて、導入方向に対して直角な脚の変形を適当に制限し、引続く圧縮の際適当な反力を脚へ及ぼす。反力は、脚の圧縮の程度に応じてまず非常に僅かに、ストッパの当接後甚だしく増大する。従って圧入力の所定の規定のために、穴直径を脚の外側間隔及びストッパ内側間隔に精確に合わせることが必要であり、僅かな相違でも得られる圧入力の著しい相違を生じる。【０００７】  更に請求項１の上位概念を形成するドイツ連邦共和国特許出願公開第１９９３４７０９号明細書からわかる接触子素子では、変形可能な範囲が、前及び後の範囲を持ち、両方の範囲がそれぞれ閉じた開口を持ち、接触子素子の導入方向に対して直角に延びる横橋絡部によりこの開口が分離され、即ちこの圧入区域の脚は開口により分離されるが、横橋絡部により再び互いに結合されている。しかし接触子素子は、横橋絡部の範囲に断面収縮部を持ち、前の範囲を幅狭く形成され、それにより穴縁に接する脚外縁は、穴に充分大きい面積で接触せず、局部的に強く変動する不均一荷重を生じる。横橋絡部は導入方向に対して直角に延び、殆ど弾性的に作用しない。
【発明の開示】
【発明が解決しようとする課題】
【０００８】  従って本発明の課題は、印刷配線板の開口におけるできるだけ確実で均一な取付け及び接触を可能にする接触子素子を紹介することである。
【課題を解決するための手段】
【０００９】  この課題は請求項１の特徴によって解決される。有利な展開は従属請求項からわかる。【００１０】  接触子素子は、変形可能な範囲に、それぞれ１つの閉じた開口を有する前の範囲と後の範囲とを持ち、接触子素子の導入方向に対して直角な横橋絡部によりこれらの開口が分離され、即ち接触子素子が少なくとも２つの脚を持ち、変形可能な範囲においてこれらの脚が２つの開口により分離され、横橋絡部により互いに結合されている。横橋絡部は、いわばニードル−アイ区域にとって典型的な開口を２つの部分に分割している。【００１１】  しかし横橋絡部が少なくとも部分範囲において導入方向に対し５〜８５°の角をなして延びているので、脚の圧入の際鋭角のためこの範囲にある横橋絡部に曲げ荷重が生じ、従って反力が均一に増大する。この横橋絡部は脚を外方へ支持し、その曲げ弾性変形により特に脚に均一な荷重を生じ、変形可能な範囲にある脚は、開口の縁に接するその外側をほぼ平行に形成されている。【００１２】  横橋絡部は導入方向に波状に曲げられ、従って導入方向へ又は導入方向がある面へ曲げられた範囲を持つが、これに反し従来技術では、横橋絡部は導入方向に対して直角な面へ曲げられている。【００１３】  横橋絡部と脚との間の移行範囲は、導入方向に対してほぼ直角に形成され、横橋絡部の中間範囲は導入方向に対して適当に斜めになっているので、曲げ荷重は脚と横橋絡部との間の移行個所のすぐそばでは最大にならない。【００１４】  接触子素子が面を持ち、この面内に、接触子素子の横橋絡部も導入方向も位置し、接触子素子がこの面に関して対称に形成されているのがよい。【００１５】  横橋絡部の厚さ即ち導入方向におけるその寸法、鋭角の程度及び横橋絡部の形状は、使用事例に強く関係し、要求に合わされる。結局所定の穴径のための最適値が見出され、薄すぎる横橋絡部は充分な反力を発生できず、従って脚は変形可能な範囲の中間で穴の壁への充分な押圧力を持たず、一方厚すぎる横橋絡部は強すぎる反力を発生し、従って脚は変形可能な範囲の中間においてのみ充分押圧される。【００１６】  目的はできるだけ大きい面積の均一な押圧であり、この押圧が接触子素子と印刷配線板との間の高い機械的強度を可能にし、更によく通電可能である。【００１７】  本発明が、実施例及び図により以下に詳細に説明される。
【発明を実施するための最良の形態】
【００１８】  図１は印刷配線板の穴へ圧入するための接触子素子を示し、接触子素子は、導入範囲Ｌ１を有するピン状圧入区域と、それに続く変形可能な範囲Ｌ２，Ｌ３とを持っている。【００１９】  変形可能な範囲は穴の直径より大きい幅Ｄ１を持ち、導入範囲は穴の直径より小さい幅Ｄ２を持っているので、接触子素子は導入範囲をまず力を費やすことなく導入方向Ｆに導入され、移行範囲Ｌ２における脚の斜め推移により自動的に穴内でまっすぐにされる。【００２０】  変形可能な範囲は前の範囲１と後の範囲２とを持ち、これら両方の範囲は、横橋絡部３により分離される開口を持っている。変形可能な範囲にある脚４，４ａは、これらの脚を結合する横橋絡部により２つの開口に分離される長穴により分離されている。【００２１】  横橋絡部３は、少なくとも部分範囲において、導入方向下に対して５〜８５°の鋭角α、この例では約４５°の角をなして延びている。この傾斜により、印刷配線板へ接触子素子を圧入し、変形可能な範囲において脚４，４ａを圧縮する際、横橋絡部３が曲げ弾性的に負荷される。【００２２】  変形可能な範囲にある脚４，４ａは、長さＬ３にわたって互いにかつ穴の壁に対してほぼ平行に形成されている。穴への圧入の際、横橋絡部３は変形可能な範囲の中間へ作用して、長さＬ３の全体にわたって脚４，４ａの均一な押圧を可能にする。【００２３】  従って接触子素子の２つの脚４，４ａは、変形可能な範囲において２つの開口により分離され、横橋絡部３により互いに結合され、横橋絡部は、脚への角αなるべく７５〜９０°のほぼ直角な移行範囲と、その間にあって導入方向に対して５〜８５°例えば４５°の鋭角をなして斜めに延びる中間範囲とを持っている。【００２４】  横橋絡部から両方の脚への移行部は、導入方向に関して、図２に示すような高さで形成されるか、又は図１に示すように特定間隔だけずれて形成されている。横橋絡部３はなるべく波状に曲げられている。【００２５】  図１による横橋絡部３は、導入方向ＦにほぼＳ字状に波形に形成されて、中間範囲が導入方向Ｆに対して斜めに鋭角をなして延び、縁範囲で連続的に脚４，４ａの直角な移行範囲に至るようになっている。それにより両方の脚に、導入方向Ｆに先端から異なる距離を持つ脚への移行部が生じる。【００２６】  これに反し図２による横橋絡部３は、少なくとも中間範囲に、導入方向Ｆに波形のＶ字形状を持っている。Ｖ字形状の両方の部分は、導入方向Ｆに対して鋭角をなしている。図２による横橋絡部３は更に、それが導入方向に対して対称に形成され、従って脚への移行部が同じ高さに位置するという利点を持っている。【００２７】  更に接触子素子は、導入範囲から遠い方の側に、接触子素子の導入可能な長さＬを限定するストッパを持っているのがよい。【００２８】  接触子素子は全体として平らに形成され、即ち１つの面Ｅを持ち、横橋絡部を持つ接触子素子も導入方向Ｆもこの面にある。この面Ｅは図１ａ及び１ｂの面に一致する。接触子素子は、断面図１ａ及び２ｂが示すように、この面に関して対称に形成されている。
【図面の簡単な説明】
【００２９】
【図１】  接触子素子の第１の構成を２つの方向から見た図で示す。
【図２】  接触子素子の第２の構成を２つの方向から見た図で示す。
【図１ａ】
2007531241.tif 000003
【図１ｂ】
2007531241.tif 000004
【図２ａ】
2007531241.tif 000005
【図２ｂ】
2007531241.tif 000006
【国際調査報告】
2007531241.tif 000007
2007531241.tif 000008
2007531241.tif 000009
2007531241.tif 000010
2007531241.tif 000011
2007531241.tif 000012